【手続補正書】
【提出日】平成16年9月3日(2004.9.3)
【手続補正１】
【補正対象書類名】明細書
【補正対象項目名】請求項１
【補正方法】変更
【補正の内容】
【請求項１】
遠隔映像切り替え方法であって、
映像切り替え命令場所と映像切り替えの実施場所が異なる場合に、ＧＰＳやＩＳＤＮを利用して正確に周波数同期を行った映像信号発生装置を、映像切り替え命令場所と映像切り替え実施場所に配置してリファレンスクロックを生成し、転送映像にはタイムコードが付与されており、
映像切り替え実施場所において映像信号発生装置はタイムコード（ＴＣｎｒ）を生成し、
映像切り替え命令場所において転送映像のタイムコード（ＴＣｐｓ）を読み込み、
映像切り替え実施場所において転送映像のタイムコード（ＴＣｐｒ）を読み込み可能である状態において、
映像切り替え実施場所では、タイムコード（ＴＣｐｒ）と（ＴＣｎｒ）を同時に読み取り、タイムコード（ＴＣｎｒ）からタイムコード（ＴＣｐｒ）を差し引いた値（ＴＣｄ）を求め、
映像切り替え時に切り替え命令場所で（ＴＣｐｓ）を映像切り替えタイムコードとして映像切り替え実施場所に送信し、その切り替え実施場所でタイムコード（ＴＣｐｓ）を受信した後に、タイムコード（ＴＣｐｓ）に（ＴＣｄ）を加えて映像切り替えタイミングを示すタイムコード（ＴＣｔ）を求めて切り替えを実施する、
ことを特徴とする遠隔映像切り替え方法。
【手続補正２】
【補正対象書類名】明細書
【補正対象項目名】請求項５
【補正方法】変更
【補正の内容】
【請求項５】
遠隔映像切り替え方法であって、
映像切り替え命令場所と映像切り替えの実施場所が異なる場合に、ＧＰＳやＩＳＤＮを利用して正確に周波数同期を行った映像信号発生装置を、映像切り替え命令場所に配置してリファレンスクロックを生成し、転送映像にはタイムコードが付与されており、
映像切り替え実施場所において映像信号発生装置はタイムコード（ＴＣｎｒ）を生成し、
映像切り替え命令場所において転送映像のタイムコード(ＴＣｐｓ)を読み込み、
映像切り替え実施場所において転送映像のタイムコード（ＴＣｐｒ）を読み込み可能である状態において、
映像切り替え時に切り替え命令場所において（ＴＣｐｓ）を映像切り替えタイムコードとして切り替え実施場所に送信し、切り替え実施場所においてタイムコード（ＴＣｐｓ）を受信した際にタイムコード（ＴＣｐｒ）を読み取り、
タイムコード（ＴＣｐｓ）から（ＴＣｐｒ）を差し引いた値（ＴＣｄ）を求め、その値（ＴＣｄ）の示す時間待機して映像切り替えを実施する、
ことを特徴とする遠隔映像切り替え方法。
【手続補正３】
【補正対象書類名】明細書
【補正対象項目名】請求項１６
【補正方法】変更
【補正の内容】
【請求項１６】
遠隔映像切り替え方法における、
映像切り替え命令場所と映像切り替えの実施場所が異なる場合に、ＧＰＳやＩＳＤＮを利用して正確に周波数同期を行った映像信号発生装置を、映像切り替え命令場所と映像切り替え実施場所に配置してリファレンスクロックを生成する手順と、転送映像にはタイムコードが付与される手順と、
映像切り替え実施場所において映像信号発生装置はタイムコード（ＴＣｎｒ）を生成する手順と、
映像切り替え命令場所において転送映像のタイムコード（ＴＣｐｓ）を読み込む手順と、
映像切り替え実施場所において転送映像のタイムコード（ＴＣｐｒ）を読み込む手順と、
映像切り替え実施場所では、タイムコード（ＴＣｐｒ）と（ＴＣｎｒ）を同時に読み取る手順と、  タイムコード（ＴＣｎｒ）からタイムコード（ＴＣｐｒ）を差し引いた値（ＴＣｄ）を求める手順と、  映像切り替え時に切り替え命令場所で（ＴＣｐｓ）を映像切り替えタイムコードとして映像切り替え実施場所に送信し、その切り替え実施場所でタイムコード（ＴＣｐｓ）を受信した後に、タイムコード（ＴＣｐｓ）に（ＴＣｄ）を加え、映像切り替えタイミングを示すタイムコード（ＴＣｔ）を求めて切り替えを実施する手順とを、
コンピュータに実行させるためのプログラムとした
ことを特徴とする遠隔映像切り替えプログラム。
【手続補正４】
【補正対象書類名】明細書
【補正対象項目名】００１４
【補正方法】変更
【補正の内容】
【００１４】
本発明は、上記の課題を解決するため、第１発明は、映像切り替え命令場所と映像切り替えの実施場所が異なる場合に、ＧＰＳやＩＳＤＮを利用して正確に周波数同期を行った映像信号発生装置を、映像切り替え命令場所と映像切り替え実施場所に配置してリファレンスクロックを生成し、転送映像にはタイムコードが付与されており、
映像切り替え実施場所において映像信号発生装置はタイムコード（ＴＣｎｒ）を生成し、
映像切り替え命令場所において転送映像のタイムコード（ＴＣｐｓ）を読み込み、
映像切り替え実施場所において転送映像のタイムコード（ＴＣｐｒ）を読み込み可能である状態において、
映像切り替え実施場所では、タイムコード（ＴＣｐｒ）と（ＴＣｎｒ）を同時に読み取り、タイムコード（ＴＣｎｒ）からタイムコード（ＴＣｐｒ）を差し引いた値（ＴＣｄ）を求め、
映像切り替え時に切り替え命令場所で（ＴＣｐｓ）を映像切り替えタイムコードとして映像切り替え実施場所に送信し、その切り替え実施場所でタイムコード（ＴＣｐｓ）を受信した後に、タイムコード（ＴＣｐｓ）に（ＴＣｄ）を加えて映像切り替えタイミングを示すタイムコード（ＴＣｔ）を求めて切り替えを実施することを特徴とする遠隔映像切り替え方法である。
【手続補正５】
【補正対象書類名】明細書
【補正対象項目名】００１８
【補正方法】変更
【補正の内容】
【００１８】
第５発明は、遠隔映像切り替え方法であって、映像切り替え命令場所と映像切り替えの実施場所が異なる場合に、ＧＰＳやＩＳＤＮを利用して正確に周波数同期を行った映像信号発生装置を、映像切り替え命令場所に配置してリファレンスクロックを生成し、転送映像にはタイムコードが付与されており、
映像切り替え実施場所において映像信号発生装置はタイムコード（ＴＣｎｒ）を生成し、
映像切り替え命令場所において転送映像のタイムコード(ＴＣｐｓ)を読み込み、
映像切り替え実施場所において転送映像のタイムコード（ＴＣｐｒ）を読み込み可能である状態において、
映像切り替え時に切り替え命令場所において（ＴＣｐｓ）を映像切り替えタイムコードとして切り替え実施場所に送信し、切り替え実施場所においてタイムコード（ＴＣｐｓ）を受信した際にタイムコード（ＴＣｐｒ）を読み取り、
タイムコード（ＴＣｐｓ）から（ＴＣｐｒ）を差し引いた値（ＴＣｄ）を求め、その値（ＴＣｄ）の示す時間待機して映像切り替えを実施することを特徴とする遠隔映像切り替え方法である。
【手続補正６】
【補正対象書類名】明細書
【補正対象項目名】００２９
【補正方法】変更
【補正の内容】
【００２９】
第１６発明は、遠隔映像切り替え方法における、
映像切り替え命令場所と映像切り替えの実施場所が異なる場合に、ＧＰＳやＩＳＤＮを利用して正確に周波数同期を行った映像信号発生装置を、映像切り替え命令場所と映像切り替え実施場所に配置してリファレンスクロックを生成する手順と、転送映像にはタイムコードが付与される手順と、
映像切り替え実施場所において映像信号発生装置はタイムコード（ＴＣｎｒ）を生成する手順と、
映像切り替え命令場所において転送映像のタイムコード（ＴＣｐｓ）を読み込む手順と、
映像切り替え実施場所において転送映像のタイムコード（ＴＣｐｒ）を読み込む手順と、
映像切り替え実施場所では、タイムコード（ＴＣｐｒ）と（ＴＣｎｒ）を同時に読み取る手順と、  タイムコード（ＴＣｎｒ）からタイムコード（ＴＣｐｒ）を差し引いた値（ＴＣｄ）を求める手順と、  映像切り替え時に切り替え命令場所で（ＴＣｐｓ）を映像切り替えタイムコードとして映像切り替え実施場所に送信し、その切り替え実施場所でタイムコード（ＴＣｐｓ）を受信した後に、タイムコード（ＴＣｐｓ）に（ＴＣｄ）を加え、映像切り替えタイミングを示すタイムコード（ＴＣｔ）を求めて切り替えを実施する手順とを、
コンピュータに実行させるためのプログラムとした
ことを特徴とする遠隔映像切り替えプログラムである。